(57)【要約】【課題】  複数ページからなる読み込んだ画像データに対して、所定の画像処理を行うためのページ位置指定を読み込んだ画像データのサムネイル画像データを確認しながら操作性よく行うことである。【解決手段】  サムネイル作成部２０３５がリーダ部２０７０から読み込んだ原稿画像のサムネイルデータを作成し、該作成される各サムネイルデータをページ順に並べて操作部２０１２にした後、該操作部２０１２に表示されたサムネイルデータに対応づけられた特定領域に対する指示があったかどうかをＣＰＵ２００１が検出し、該検出結果により、いずれかのサムネイルデータに対応したページ位置を特定し、該特定されるページ位置に対して読み込んだ複数の原稿画像中で対応するページに対して所定の画像処理を実行する構成を特徴とする。【選択図】  図１
2006019904.tif 000002
【特許請求の範囲】
【請求項１】
原稿画像を読み取るリーダ部と、該リーダ部から読み込んだ原稿画像を印刷する印刷部とを備える画像処理装置であって、
前記リーダ部から読み込んだ原稿画像のサムネイルデータを作成する作成手段と、
前記作成手段により作成される各サムネイルデータをページ順に並べて表示部に表示するプレビュー手段と、
前記プレビュー手段により前記表示部に表示されたサムネイルデータに対応づけられた特定領域に対する指示があったかどうかを検出する検出手段と、
前記検出手段による検出結果により、いずれかのサムネイルデータに対応したページ位置を特定し、該特定されるページ位置に対して読み込んだ複数の原稿画像中で対応するページに対して所定の画像処理を実行する画像処理手段と、
を有することを特徴とする画像処理装置。
【請求項２】
前記検出手段は、前記表示部に表示されるサムネイルデータの近傍に配置されるチェックボタンの指示状態から対応づけて配置し、該チェックボタンに対する指示状態からページ位置を検出することを特徴とする請求項１記載の画像処理装置。
【請求項３】
前記検出手段は、前記表示部に表示されるサムネイルデータの表示領域を特定領域と判断し、該表示領域に対する指示状態からページ位置を検出することを特徴とする請求項１記載の画像処理装置。
【請求項４】
前記画像処理手段による所定の画像処理は、前記検出手段により検出される特定領域に対する指示に対応するページ位置に、合紙を挿入することを特徴とする請求項１記載の画像処理装置。
【請求項５】
前記画像処理手段による所定の画像処理は、前記検出手段により検出される特定領域に対する指示に対応するページ位置から章の開始番号を更新することを特徴とする請求項１記載の画像処理装置。
【請求項６】
前記画像処理手段に対する所定の画像処理モードの指定状態を判断する判断手段を有し、
前記プレビュー手段は、前記判断手段による判断結果に基づいて、前記作成手段により作成される各サムネイルデータをページ順に並べて表示部に表示する場合の表示態様を変更することを特徴とする請求項１記載の画像処理装置。
【請求項７】
原稿画像を読み取るリーダ部と、該リーダ部から読み込んだ原稿画像を印刷する印刷部とを備える画像処理装置における画像処理方法であって、
前記リーダ部から読み込んだ原稿画像のサムネイルデータを作成する作成ステップと、
前記作成ステップにより作成される各サムネイルデータをページ順に並べて表示部に表示するプレビューステップと、
前記プレビューステップにより前記表示部に表示されたサムネイルデータに対応づけられた特定領域に対する指示があったかどうかを検出する検出ステップと、
前記検出ステップによる検出結果により、いずれかのサムネイルデータに対応したページ位置を特定し、該特定されるページ位置に対して読み込んだ複数の原稿画像中で対応するページに対して所定の画像処理を実行する画像処理ステップと、
を有することを特徴とする画像処理方法。
【請求項８】
前記検出ステップは、前記表示部に表示されるサムネイルデータの近傍に配置されるチェックボタンの指示状態から対応づけて配置し、該チェックボタンに対する指示状態からページ位置を検出することを特徴とする請求項７記載の画像処理方法。
【請求項９】
前記検出ステップは、前記表示部に表示されるサムネイルデータの表示領域を特定領域と判断し、該表示領域に対する指示状態からページ位置を検出することを特徴とする請求項７記載の画像処理方法。
【請求項１０】
前記画像処理ステップによる所定の画像処理は、前記検出ステップにより検出される特定領域に対する指示に対応するページ位置に、合紙を挿入することを特徴とする請求項７記載の画像処理方法。
【請求項１１】
前記画像処理ステップによる所定の画像処理は、前記検出ステップにより検出される特定領域に対する指示に対応するページ位置から章の開始番号を更新することを特徴とする請求項７記載の画像処理方法。
【請求項１２】
前記画像処理ステップに対する所定の画像処理モードの指定状態を判断する判断ステップを有し、
前記プレビューステップは、前記判断ステップによる判断結果に基づいて、前記作成ステップにより作成される各サムネイルデータをページ順に並べて表示部に表示する場合の表示態様を変更することを特徴とする請求項７記載の画像処理方法。
【請求項１３】
請求項７〜１２のいずれかに記載の画像処理方法を実行させるためのプログラムを格納したことを特徴とするコンピュータが読み取り可能な記憶媒体。
【請求項１４】
請求項７〜１２のいずれかに記載の画像処理方法を実行させることを特徴とするプログラム。
【発明の詳細な説明】
【技術分野】
【０００１】
本発明は、所定のシート処理を実行する画像処理装置および画像処理方法およびコンピュータが読み取り可能なプログラムを格納した記憶媒体およびプログラムに関するものである。
【背景技術】
【０００２】
従来、この種の画像処理装置において、合紙、挿入紙モードを設定した後、合紙、挿入紙の挿入位置を指定する際には、図１５に示すような操作画面を操作部に表示していた。
【０００３】
図１５は、この種の画像処理装置の操作部に表示される表紙／合紙の挿入ページ指定画面の一例を示す図である。なお、表示制御は、図示しないコントローラ部による制御による。
【０００４】
図１５に示すように、何ら対応する原稿画像データを確認できない状態で、原稿何ページ目の前に合紙の何枚目を挿入するかを操作部のキーを操作して入力することで、合紙の挿入位置を決定し、指定した挿入位置に合紙を挿入するモードが実現されている。
【０００５】
また、ページ印字モードにおいて章開始位置を指定することで、章とページを印字することも実現されている。
【０００６】
また、大型の液晶タッチパネルを用いた操作部に、画像データ自体を独立してサムネイル表示を行うことで、出力する前に画像データの確認を行えるように構成された画像処理装置も下記特許文献１に開示されている。
【特許文献１】特開２０００−１５８７４４号公報
【発明の開示】
【発明が解決しようとする課題】
【０００７】
しかしながら、図１５に示すような操作表示画面で、合紙の挿入位置を指定する場合には、原稿の何ページ目に対応して挿入するのかを、コピーする前に、ユーザが原稿をわざわざ数えて確認して決める必要があり、操作性が良くないと感じられることがままあった。
【０００８】
また、原稿のページ数え間違いがあると、ユーザが意図しないところに合紙が挿入されてしまうことがあった。
【０００９】
さらに、同様にページ印字モードの章の更新位置についても、ユーザが原稿をわざわざ数えて確認して決める必要があり、操作性の向上が望まれている。
【００１０】
また、操作パネル上にサムネイル画像を表示するモードについては、トリミングエリアの指定や、記憶されている画像の確認のためにサムネイル画像を表示することが行われているに過ぎなかった。
【００１１】
本発明は、上記の課題を解決するためになされたもので、本発明の目的は、リーダ部から読み込んだ原稿画像のサムネイルデータを作成し、該作成される各サムネイルデータをページ順に並べて表示部に表示した後、該表示部に表示されたサムネイルデータに対応づけられた特定領域に対する指示があったかどうかを検出し、該検出結果により、いずれかのサムネイルデータに対応したページ位置を特定し、該特定されるページ位置に対して読み込んだ複数の原稿画像中で対応するページに対して所定の画像処理を実行することにより、読み込んだ複数のページからなる画像データに対して、所定の画像処理を行うためのページ位置指定を読み込んだ画像データのサムネイル画像データを確認しながら操作性よく行うことできる画像処理装置および画像処理方法およびコンピュータが読み取り可能なプログラムを格納した記憶媒体およびプログラムを提供することである。
【課題を解決するための手段】
【００１２】
上記目的を達成する本発明の画像処理装置は以下に示す構成を備える。
【００１３】
原稿画像を読み取るリーダ部と、該リーダ部から読み込んだ原稿画像を印刷する印刷部とを備える画像処理装置であって、前記リーダ部から読み込んだ原稿画像のサムネイルデータを作成する作成手段と、前記作成手段により作成される各サムネイルデータをページ順に並べて表示部に表示するプレビュー手段と、前記プレビュー手段により前記表示部に表示されたサムネイルデータに対応づけられた特定領域に対する指示があったかどうかを検出する検出手段と、前記検出手段による検出結果により、いずれかのサムネイルデータに対応したページ位置を特定し、該特定されるページ位置に対して読み込んだ複数の原稿画像中で対応するページに対して所定の画像処理を実行する画像処理手段とを有することを特徴とする。
【００１４】
上記目的を達成する本発明の画像処理方法は以下に示す構成を備える。
【００１５】
原稿画像を読み取るリーダ部と、該リーダ部から読み込んだ原稿画像を印刷する印刷部とを備える画像処理装置における画像処理方法であって、前記リーダ部から読み込んだ原稿画像のサムネイルデータを作成する作成ステップと、前記作成ステップにより作成される各サムネイルデータをページ順に並べて表示部に表示するプレビューステップと、前記プレビューステップにより前記表示部に表示されたサムネイルデータに対応づけられた特定領域に対する指示があったかどうかを検出する検出ステップと、前記検出ステップによる検出結果により、いずれかのサムネイルデータに対応したページ位置を特定し、該特定されるページ位置に対して読み込んだ複数の原稿画像中で対応するページに対して所定の画像処理を実行する画像処理ステップとを有することを特徴とする。
【発明の効果】
【００１６】
本発明によれば、読み込んだ複数ページからなる画像データに対して、所定の画像処理を行うためのページ位置指定を読み込んだ画像データのサムネイル画像データを確認しながら操作性よく行うことできる。
【発明を実施するための最良の形態】
【００１７】
次に本発明を実施するための最良の形態について図面を参照して説明する。
【００１８】
〔第１実施形態〕
図１は、本発明の第１実施形態を示す画像処理装置の構成を説明するブロック図であり、例えばマルチファンクション機能処理を実行可能に構成されている。
【００１９】
図１において、コントローラユニット２０００は、画像入力デバイスであるリーダ部２０７０や画像出力デバイスであるプリンタ２０９５をデバイスＩ／Ｆ２０２０を介して接続し、スキャナ２０７０で読み取られた画像データをプリンタ２０９５により印刷出力するコピー機能を実現するための制御を行うとともに、ＬＡＮ１００６や公衆回線２０５１（ＷＡＮに接続することによって、画像情報やデバイス情報の入出力を行うための制御を行う。
【００２０】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上でＨＤＤ（ハードディスクドライブ）２００４に格納されているアプリケーションプログラムを実行することによって各種処理を実行する。
【００２１】
このＣＰＵ２００１の作業領域としてはＲＡＭ２００２が用いられる。ＲＡＭ２００２は、作業領域とともに、画像データを一時記憶するための画像メモリ領域を提供する。ＨＤＤ２００４は、上記アプリケーションプログラムとともに、画像データを格納する。
【００２２】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージインタフェース）２００５が接続されている。
【００２３】
操作部Ｉ／Ｆ２００６は、タッチパネルを有する操作部２０１２とのインターフェースであり、操作部２０１２に表示する画像データを操作部２０１２に対して出力する。また、操作部Ｉ／Ｆ２００６は、操作部２０１２においてユーザにより入力された情報をＣＰＵ２００１に送出する。
【００２４】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線２０５１に接続され、公衆回線２０５１を介して情報の入出力を行う。
【００２５】
イメージバスＩ／Ｆ２００５は、システムバス２００７と画像データを高速で転送する画像バス２００８を接続し、データ構造を変換するためのバスブリッジである。画像バス２００８は、ＰＣＩバスまたはＩＥＥＥ１３９４から構成される。画像バス２００８上には、ラスタイメージプロセッサ（以下、ＲＩＰという）２０６０、デバイスＩ／Ｆ２０２０、スキャナ画像処理部２０８０、プリンタ画像処理部２０９０、画像回転処理部２０３０、サムネイル作成部２０３５および画像圧縮処理部２０４０が設けられている。
【００２６】
ＲＩＰ２０６０は、ＰＤＬコードをビットマップイメージにＲＡＭ２００２上に描画展開処理する。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。
【００２７】
プリンタ画像処理部２０９０は、プリント出力画像データに対してプリンタ２０９５の補正、解像度変換などを行う。画像回転処理部２０３０は、画像データの回転を行う。画像圧縮処理部２０４０は、多値画像データをＪＰＥＧデータに、２値画像データをＪＢＩＧ、ＭＭＲ、ＭＨなどのデータに圧縮するとともに、その伸張処理を行う。
【００２８】
サムネイル作成部２０３５は、スキャナ２０７０、ＲＩＰ２０６０から読み込んだ画像や、ＨＤＤ２００４から読み込んだ画像に対して、解像度変換を施すことでサムネイル画像を作成する。
【００２９】
作成したサムネイル画像は、画像バス２００８、イメージバスＩ／Ｆ２００５、システムバス２００７、操作部Ｉ／Ｆ２００６を介して操作部２０１２上に表示することが可能になっている。また、サムネイル作成部２０３５で作成したサムネイル画像は、画像をＨＤＤ２００４に記憶するときに画像と対応させて記憶させることも可能になっていて、ＨＤＤ２００４に記憶されているサムネイル画像は、システムバス２００７、操作部Ｉ／Ｆ２００６を介して操作部２０１２に表示することが可能になっている。次に、リーダ部２０７０およびプリンタ部２０９５のハードウェア構成について図４を参照しながら説明する。
【００３０】
図１に示すリーダ部２０７０と、該リーダ部から読み込んだ原稿画像を印刷する図１に示すプリンタ部２０９５とを備える画像処理装置であって、図１に示すサムネイル作成部２０３５がリーダ部２０９５から読み込んだ原稿画像のサムネイルデータを作成して、ＲＡＭ２００２上に保持する。そして、ＣＰＵ２００１が後述する図７に示すフローチャートの手順に従い、作成される各サムネイルデータをページ順に並べて表示部にプレビューする。
【００３１】
そして、操作部２０１２に表示されたサムネイルデータに対応づけられた特定領域に対する指示があったかどうかを図１に示すＣＰＵ２００１が検出し、該検出結果により、いずれかのサムネイルデータに対応したページ位置を特定し、該特定されるページ位置に対して読み込んだ複数の原稿画像中で対応するページに対して所定の画像処理を実行する。
【００３２】
これにより、読み取られる原稿画像データに対する所定の処理、例えば合紙等をいずれかのページ位置に指定する場合に、読み取られている画像のサムネイル画像データの表示を確認した状態で、ページ位置を指定できるため、従来の数値情報による指定に比べて、操作性が向上して、誤ったページ指定操作を回避できる。
【００３３】
なお、操作部２０１２に表示されるサムネイルデータの近傍に配置されるチェックボタン（例えば図８に示す挿入ページ指定画面のチェックボタン１５０４）の指示状態から対応づけて配置し、該チェックボタンに対する指示状態からページ位置を検出することが可能に構成されている。
【００３４】
これにより、表示部に表示されたサムネイル画像データの表示を確認しながら、チェックボタンを指示するだけで、所定の画像処理を行うためのページ位置を正確に指定することができる。
【００３５】
また、ＣＰＵ２００１は、操作部２０１２に表示されるサムネイルデータの表示領域を特定領域と判断し、該表示領域（例えば図９に示す挿入ページ指定画面のサムネイル画像データ１６０１）に対する指示状態からページ位置を検出することが可能に構成されている。
【００３６】
これにより、表示部に表示されたサムネイル画像データの表示を確認しながら、直接サムネイル画像データを指示するだけで、所定の画像処理を行うためのページ位置を正確に指定することができる。
【００３７】
さらに、所定の画像処理は、前記検出手段により検出される特定領域に対する指示に対応するページ位置に、合紙を挿入することが可能に構成されている。
【００３８】
これにより、表示部に表示されたサムネイル画像データの表示を確認しながら、直接サムネイル画像データを指示するだけで、合紙の挿入を行うためのページ位置を正確に指定することができる。
【００３９】
また、所定の画像処理は、前記検出手段により検出される特定領域に対する指示に対応するページ位置から章の開始番号を更新することが可能に構成されている。
【００４０】
これにより、表示部に表示されたサムネイル画像データの表示を確認しながら、直接サムネイル画像データを指示するだけで、章の開始番号を行うためのページ位置を正確に指定することができる。
【００４１】
さらに、ＣＰＵ２００１は、所定の画像処理モードの指定状態を判断（図１に示すＣＰＵ２００１が図７に示すステップＳ１７０５）し、該判断結果に基づいて、サムネイル作成部２０３５により作成される各サムネイルデータをページ順に並べて表示部に表示する場合の表示態様を変更（例えば図８に示す挿入ページ指定画面のチェックボタン１５０４あるいは図９に示す挿入ページ指定画面のサムネイル画像データ１６０１）することが可能に構成されている。
【００４２】
これにより、表示部に表示されたサムネイル画像データの表示を確認しながら、直接サムネイル画像データを指示するだけで、合紙の挿入を行う際に、ユーザに対して異なる合紙挿入モードの違いを視覚的に認識させることができ、ユーザの合紙挿入ページ位置を正確に指定することができる。
【００４３】
図２は、図１に示したリーダ部２０７０およびプリンタ部２０９５のハードウェア構成を示す概略断面図であり、リーダ部２０７０とプリンタ部２０９５とは、一体的に構成されている。
【００４４】
図２において、リーダ部２０７０は、原稿給紙ユニット２５０を搭載し、原稿給紙ユニット２５０は、原稿を先頭から順に１枚ずつプラテンガラス２１１上へ給送し、各原稿の読取動作が終了する毎にその原稿をプラテンガラス２１１から排出トレイ（図示せず）に排出する。
【００４５】
リーダ部２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、ＣＣＤという）２１８に導かれ、原稿上の画像がＣＣＤ２１８の撮像面上に結像される。ＣＣＤ２１８は、撮像面に結像された画像を電気信号に変換し、この電気信号は所定の処理を施された後に制御装置１１０に入力される。
【００４６】
プリンタ２０９５は、レーザドライバ３２１を有し、レーザドライバ３２１は、制御装置１１０から入力された画像データに基づきレーザ発光部３２２を駆動する。これにより、レーザ発光部３２２からは画像データに応じたレーザ光が発光され、このレーザ光は走査されながら感光ドラム３２３上に照射される。
【００４７】
感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００４８】
トナー像が転写された記録紙は搬送ベルトを介して定着ローラ対（加熱ローラと加圧ローラ）３２６に送られ、定着ローラ対３２６は、記録紙を熱圧し、記録紙上のトナー像を記録紙上に定着させる。
【００４９】
この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。また、両面記録モードが設定されている場合には、記録紙を排紙ローラ対３２７まで搬送した後に、排紙ローラ対３２７の回転方向を逆転させ、フラッパ３２８によって再給紙搬送路３２９へ導く。再給紙搬送路３３９に導かれた記録紙は、上述したタイミングで感光ドラム３２３と転写部３２５との間に再給紙され、この記録紙の裏面にトナー像が転写される。
【００５０】
図３〜図６は、図１に示した操作部２０１２の液晶タッチパネル上に表示される操作画面の推移を説明する図であり、図３はコピーモードの標準画面を示し、応用モードボタン１００１をユーザがタッチすることで、表示画面がＣＰＵ２００１の表示制御により、図４に示す応用モード設定画面に切り替えられ、さらに、図４に示す応用モード設定画面において、表紙・合紙ボタン１１０１をユーザがタッチすることで、表示画面がＣＰＵ２００１の表示制御により、図５に示す第１の表紙・合紙設定画面に切り替わり、さらに、図４に示す第１の表紙・合紙設定画面において、合紙キー１２０１をユーザがタッチすることで、表示画面がＣＰＵ２００１の表示制御により、図６に示す表紙・合紙設定画面に切り替わるように構成されている。
【００５１】
なお、図５において、１２０２は章紙キーで、章紙を行う場合にタッチ指示される。１２０３は用紙選択キーで、給紙箇所の用紙サイズを選択する場合にユーザによりタッチ指示される。
【００５２】
また、図６において、１３０１はコピーしない設定キーで、合紙に対するコピーを行わない場合にユーザによりタッチ指示される。１３０２はコピーするキーで、合紙として指定された紙に対して、コピーする場合にユーザによりタッチ指示される。
【００５３】
図７は、本発明に係る画像処理装置における第１のデータ処理手順の一例を示すフローチャートであり、ＣＰＵ２００１がＨＤＤ２００４等より読み出される制御プログラムをＲＡＭ２００２上にロードして実行される合紙処理手順に対応する。なお、Ｓ１７０１〜Ｓ１７１１は各ステップを示す。
【００５４】
先ず、ステップＳ１７０１で、図３に示す標準画面上で、ユーザが応用モードキー１００１を押下すると、ＣＰＵ２００１の制御により、操作部２０１２の表示画面が図４に示す応用モード画面に切り替わり、さらに、図４に示す応用モード画面上で表紙／合紙キー１１０１を押下すると、ＣＰＵ２００１の制御により、操作部２０１２の表示画面が図５に示す第１の表紙／合紙設定画面に切り替わり、さらに、図５に示す第１の表紙／合紙設定画面上で合紙キー１２０１を押下すると、ＣＰＵ２００１の制御により、操作部２０１２の表示画面が図６に示す表紙／合紙設定画面に切り替わり、合紙等に関する設定を行う。そして、設定が終了したら、次へキー１３０３を押下すると、ＣＰＵ２００１の制御により、操作部２０１２の表示画面は、図３に示した標準画面に切り替わる。
【００５５】
次に、ステップＳ１７０２で、操作部２０１２上の図示しないスタートキーが押下されると、合紙モードでコピー動作を開始する。
【００５６】
なお、この際、ステップＳ１７０１において、合紙モードが指定されていたとＣＰＵ２００１が判定した場合、リーダ部２０７０がセットされている全ての原稿画像を読み終えたら、コピージョブが一時停止し、プリントの指示があるまでプリント動作を行わない動作モードで処理を開始する。
【００５７】
そして、ステップＳ１７０３で、コピースタートが開始されると、リーダ部２０７０から読み込んだ原稿画像データをサムネイル作成部２０３５を用いてサムネイル画像データを作成し、ＨＤＤ２００４に原稿画像データと一緒にサムネイル画像データも保存し、リーダ部２０７０が最終原稿を読み込むまで繰り返す（Ｓ１７０４）。
【００５８】
そして、リーダ部２０７０が最終原稿を読み終えると、プリント指示があるまで、ジョブは一時停止状態になり、サムネイル画像データを操作部２０１２に表示するように、ＣＰＵ２００１が操作部２０１２の表示画面を遷移させ、ＨＤ２００４からサムネイル画像データを読み出して、順に表示する。
【００５９】
このとき、ＣＰＵ２００１は、ステップＳ１７０１で設定された、図６に示す第２の表紙／合紙設定画面中のキー１３０１、１３０２の指示状態でＲＡＭ２００２に保持される設定フラグの状態を判別して（Ｓ１７０５）、合紙にコピーしない、合紙にコピーするのモードの違いにより、操作部２０１２に表示する画面を以下のように切り替える。
【００６０】
図８，図９は、図１に示した操作部２０１２に表示される合紙の挿入ページ指定画面の一例を示す図であり、図８は、図７に示すステップＳ１７０１で、「合紙にコピーしない」が指定された場合にＣＰＵ２００１により操作部２０１２に表示される第１の合紙の挿入ページ指定画面を示し、図９は、図７に示すステップＳ１７０１で、「合紙にコピーする」が指定された場合にＣＰＵ２００１により操作部２０１２に表示される合紙の挿入ページ指定画面を示す。
【００６１】
そして、ステップ（Ｓ１７０５）で、「合成にコピーしない」が設定されているとＣＰＵ２００１が判断した場合は、図８に示したように、「合紙にコピーしない」と設定されたときのサムネイル画像データを表示する（Ｓ１７０６）。
【００６２】
一方、ステップＳ１７０５で、「合成にコピーする」が設定されているとＣＰＵ２００１が判断した場合は、図９に示したように、「合紙にコピーする」と設定されたときのサムネイル画像データを表示する（Ｓ１７０７）。
【００６３】
なお、図８において、図中の四角枠の中「プレビュー画像」と表記されているのが、読み込んだ原稿に対してのサムネイル画像データ１５０１である。サムネイル画像データ１５０１が表示されている真下には、原稿のページ数１５０３を表示している。
【００６４】
１５０７はスクロールキーであり、原稿が、例えば１７ページ以上あった場合は、スクロールキー１５０７を押下することで、次の画面に遷移することができる。１５０６はキャンセルキーであり、合紙モードジョブをキャンセルするときに使用する。
【００６５】
サムネイル画像データが表示されている右横にはボタン１５０２が表示されており、このボタン１５０２を押すことで、合紙の挿入位置を指定することができる。例えば、ボタン１５０４は押された状態にあり、黒く反転表示している例である。
【００６６】
これは、原稿５枚目と原稿６枚目に対する画像との間に、合紙の１ページ目を挿入する指定を意味する。
【００６７】
同様に、図８に示す第１の合紙の挿入ページ指定画面では、原稿１０枚目と原稿１１枚目に対する画像の間に、合紙の２ページ目を挿入、原稿１５枚目と原稿１６枚目に対する画像の間に、合紙の３ページ目を挿入する指定になっている。
【００６８】
図９に示す第２の合紙の挿入ページ指定画面では、図８に示したボタン１５０２を押すことで、合紙の挿入位置を指定する代わりに、サムネイル画像データが表示されている枠内を押下することで挿入位置が設定される。例えば、サムネイル画像データ１６０１の枠内が押下されて、反転された状態になっていることを示しており、特に、５、１０、１５枚目の原稿画像は、合紙用の給紙段から給紙した用紙に印字する指定になっている。
【００６９】
次に、プリント開始キー１５０５が押下されているかどうかをＣＰＵ２００１が判断して（Ｓ１７０８）、プリント開始キー１５０５が押下されていると判断した場合は、ＣＰＵ２００１がサムネイル表示画面で指定されたページ位置を検出し（Ｓ１７０９）、合紙挿入位置の決定を行う（Ｓ１７１０）。例えば前述した図８、図９に示す挿入ページ指定では、５，１０，１５枚目の原稿画像に対して合紙の指定がありと検出され、プリント動作を開始し（Ｓ１７１１）、印刷処理が終了したら、本処理を終了する。
【００７０】
図１０は、図１に示したプリンタ部２０９５から出力される合紙出力結果の一例を示す図であり、（ａ）は原稿画像を示し、（ｂ）は合成にコピーしない場合の出力結果例を示し、（ｃ）は合成にコピーする場合の出力結果例を示す。
【００７１】
これにより、合紙モードのときに、前述した図８に示す合紙にコピーしない場合のサムネイル画像表示画面で、５ページ目の原稿前と、１０ページ目の原稿前に合紙を挿入すると指定した場合に、図１０の（ｂ）に示すように、５ページ目の原稿に対応する画像の前に合紙の１ページ目が、１０ページ目の原稿に対応する画像の前に合紙の２ページ目が挿入されて出力される。
【００７２】
また、図９に示す合紙にコピーする場合のサムネイル画像表示画面で、５ページ目の原稿と１０ページ目の原稿を指定して合紙を挿入すると指定した場合は、図１０の（ｃ）のように、５ページ目の原稿に対応する用紙を合紙の１ページ目として挿入して、さらに５ページ目の原稿の画像データを印字し、１０ページ目の原稿に対応する用紙を合紙の２ページ目として挿入して、さらに１０ページ目の原稿の画像データを印刷して出力される。
【００７３】
これにより、合紙の挿入位置を決めるときに、操作部上に表示されたサムネイル画像に対応したボタンを指定するだけで、あるいは、サムネイル画像そのものを指定するだけで、合紙の挿入位置を指定することが可能になり、ユーザはコピーする前に原稿を確認して合紙挿入位置を決める必要がなくなり、操作性が向上した。また、原稿画像を確認しながら指定することができるので、挿入位置の指定ミスを防止することが可能になった。
【００７４】
〔第２実施形態〕
上記第１実施形態では、図８，図９に示すように、ユーザによる表紙／合紙モードに対する合紙に対するコピーする／コピーしないのユーザの指定状態に基づいて、合紙のページ挿入の位置を指定するための指定画面にサムネイル画像データを相対的に表示した上で、その挿入指定の表示態様を異なるようにＣＰＵ２００１が表示制御する場合について説明したが、応用モード中の章印刷モードの指定するための指定画面にも同様にサムネイル画像データを表示した上で表示態様を異なるように制御しても同様の効果が期待できる。以下、その実施形態について説明する。
【００７５】
図１１、図１２は、本発明の第２実施形態を示す画像処理装置における章ページ印刷モード指定画面の一例を示す図であり、図７に示したステップ１７０１で、上述したように章ページ印刷モードを指定された場合の表示画面に対応する。
【００７６】
図１１、図１２において、章ページ印刷モードは、図４に示した応用モード画面としての次画面で設定可能なキーが配置されている。そこで、ページアップ画面キーＰＫをユーザが操作することで、図示しない章印刷モード指定画面を選択し、さらに階層の詳細指定画面に遷移するようにＣＰＵ２００１が表示を制御している。
【００７７】
そして、その章印刷モード指定画面では、ページ印刷の有無、章印刷の有無、ページ用印字フォントの種類、ページ用印字フォントのサイズを指定することができるように構成されている。
【００７８】
章印刷ありと指定して、コピースタートを開始すると、第１実施形態の処理と同様に最終原稿を読み込んだ後、ジョブが一時停止し、図１１に示すサムネイル画面を操作部２０１２にＣＰＵ２００１の制御により表示する。そして、当該画面を表示したときは、章開始ページのデフォルトは、原稿１枚目に設定されているので、原稿１枚目のサムネイル画像だけが反転して表示される。
【００７９】
そして、表示されるサムネイル画像データが表示されている枠内をユーザがタッチ操作で押下することで、章の更新位置を指定することができる。
【００８０】
図１１の例では、５，１０，１５ページ目の原稿を指定した状態である。この状態で章確認キー２００３を押下すると、ＣＰＵ２００１の制御により、操作部２０１２の表示画面は、図１２に示す表示画面に切り替わり、これまで原稿ページ数が表示されていた部分２１０１に、章とページが指定されているフォントで表示される。
【００８１】
図１２では、５、１０，１５ページ目の原稿に対応する位置から、章が「２−１」，「３−１」，「４−１」になっていることを確認することができる。
【００８２】
章確認キー２００３をもう一度押下することで図１１に示す画面表示に戻ることができる。
【００８３】
次に第１実施形態と同様にプリント開始キーが押下されると、サムネイル表示画面で指定されたページ位置を検出し、章の変更位置の決定を行い前述した図の例では、５，１０，１５枚目の原稿で章が切り替わる否かをＣＰＵ２００１が判断し、プリンタ２０９５によるプリント動作を開始する。
【００８４】
図１３は、本発明に係る画像処理装置における章印刷モード処理結果例を示す図であり、章印刷モードのときに、原稿に対して、出力される印刷用紙順を示した状態に対応し、前述したサムネイル画像表示画面で、５ページ目の原稿と１０ページ目の原稿を章変更位置として指定した場合は、図１３の（ｂ）のように、５ページ目の原稿から章が切り替わり「２−１」，「２−２」と印刷され、また、１０ページ目の原稿からも章が切り替わり「３−１」，「３−２」と印刷して出力を行う。
【００８５】
上記実施形態によれば、章印刷モードにおいても、操作部上に表示されたサムネイル画像そのものを指定するだけで、章の更新位置を指定することが可能になり操作性が向上した。また、原稿画像を確認しながら指定することができるので、章の更新位置の指定ミスを防止することが可能になった。
【００８６】
前述した第１実施形態における図９に示した挿入位置指定時の確定状態を判定状態で表示するように、第２実施形態では、図１２に示したように、サムネイル画像データを選択したときに反転させたが、ＣＰＵ２００１が、例えば選択されたときに表示枠だけを強調して表示するなど、選択したことを示すことができれば反転以外の処理を行っても差し支えない。
【００８７】
また、上記第１、第２実施形態では、それぞれ合紙、章印刷について本発明を適用する場合について説明したが、これらのモード以外でも、ページの切れ目位置を判断して処理を変更させる動作モードがあれば、これまで説明してきた処理を適用しても一向に構わない。
【００８８】
以下、図１４に示すメモリマップを参照して本発明に係る画像処理システムで読み取り可能なデータ処理プログラムの構成について説明する。
【００８９】
図１３は、本発明に係る画像処理システムで読み取り可能な各種データ処理プログラムを格納する記憶媒体のメモリマップを説明する図である。
【００９０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００９２】
本実施形態における図７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００９４】
この場合、記憶媒体から読み出されたプログラムコード自体が本発明の新規な機能を実現することになり、そのプログラムコードを記憶した記憶媒体は本発明を構成することになる。
【００９５】
従って、プログラムの機能を有していれば、オブジェクトコード、インタプリタにより実行されるプログラム、ＯＳに供給するスクリプトデータ等、プログラムの形態を問わない。
【００９６】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００９７】
この場合、記憶媒体から読出されたプログラムコード自体が前述した実施形態の機能を実現することになり、そのプログラムコードを記憶した記憶媒体は本発明を構成することになる。
【００９８】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１００】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０２】
本発明は上記実施形態に限定されるものではなく、本発明の趣旨に基づき種々の変形（各実施形態の有機的な組合せを含む）が可能であり、それらを本発明の範囲から排除するものではない。
【０１０３】
本発明の様々な例と実施形態を示して説明したが、当業者であれば、本発明の趣旨と範囲は、本明細書内の特定の説明に限定されるものではない。
【０１０４】
なお、本発明は、上記した実施形態に限定されるものではなく、本発明の要旨を逸脱しない範囲内において種々変更を加え得ることは勿論である。以下、その実施態様１〜１４について説明する。
【０１０５】
〔実施態様１〕
原稿画像を読み取るリーダ部（図１に示すリーダ部２０７０）と、該リーダ部から読み込んだ原稿画像を印刷する印刷部（図１に示すプリンタ部２０９５）とを備える画像処理装置であって、前記リーダ部から読み込んだ原稿画像のサムネイルデータを作成する作成手段（図１に示すサムネイル作成部２０３５が作成処理する）と、前記作成手段により作成される各サムネイルデータをページ順に並べて表示部に表示するプレビュー手段（図１に示すＣＰＵ２００１が図７に示すステップＳ１７０６，Ｓ１７０７で表示処理する）と、前記プレビュー手段により前記表示部に表示されたサムネイルデータに対応づけられた特定領域に対する指示があったかどうかを検出する検出手段（図１に示すＣＰＵ２００１が図７に示すステップＳ１７０９で検出処理する）と、前記検出手段による検出結果により、いずれかのサムネイルデータに対応したページ位置を特定し、該特定されるページ位置に対して読み込んだ複数の原稿画像中で対応するページに対して所定の画像処理を実行する画像処理手段（図１に示すＣＰＵ２００１が図７に示すステップＳ１７１０で所定の画像処理のページ位置を決定する）とを有することを特徴とする画像処理装置。
【０１０６】
これにより、読み取られる原稿画像データに対する所定の処理、例えば合紙等をいずれかのページ位置に指定する場合に、読み取られている画像のサムネイル画像データの表示を確認した状態で、ページ位置を指定できるため、従来の数値情報による指定に比べて、操作性が向上して、誤ったページ指定操作を回避できる。
【０１０７】
〔実施態様２〕
前記検出手段は、前記表示部に表示されるサムネイルデータの近傍に配置されるチェックボタン（例えば図８に示す挿入ページ指定画面のチェックボタン１５０４）の指示状態から対応づけて配置し、該チェックボタンに対する指示状態からページ位置を検出することを特徴とする実施態様１記載の画像処理装置。
【０１０８】
これにより、表示部に表示されたサムネイル画像データの表示を確認しながら、チェックボタンを指示するだけで、所定の画像処理を行うためのページ位置を正確に指定することができる。
【０１０９】
〔実施態様３〕
前記検出手段は、前記表示部に表示されるサムネイルデータの表示領域を特定領域と判断し、該表示領域（例えば図９に示す挿入ページ指定画面のサムネイル画像データ１６０１）に対する指示状態からページ位置を検出することを特徴とする実施態様１の画像処理装置。
【０１１０】
これにより、表示部に表示されたサムネイル画像データの表示を確認しながら、直接サムネイル画像データを指示するだけで、所定の画像処理を行うためのページ位置を正確に指定することができる。
【０１１１】
〔実施態様４〕
前記画像処理手段による所定の画像処理は、前記検出手段により検出される特定領域に対する指示に対応するページ位置に、合紙を挿入することを特徴とする実施態様１記載の画像処理装置。
【０１１２】
これにより、表示部に表示されたサムネイル画像データの表示を確認しながら、直接サムネイル画像データを指示するだけで、合紙の挿入を行うためのページ位置を正確に指定することができる。
【０１１３】
〔実施態様５〕
前記画像処理手段による所定の画像処理は、前記検出手段により検出される特定領域に対する指示に対応するページ位置から章の開始番号を更新することを特徴とする実施態様１記載の画像処理装置。
【０１１４】
これにより、表示部に表示されたサムネイル画像データの表示を確認しながら、直接サムネイル画像データを指示するだけで、章の開始番号を行うためのページ位置を正確に指定することができる。
【０１１５】
〔実施態様６〕
前記画像処理手段に対する所定の画像処理モードの指定状態を判断する判断手段（図１に示すＣＰＵ２００１が図７に示すステップＳ１７０５）を有し、前記プレビュー手段は、前記判断手段による判断結果に基づいて、前記作成手段により作成される各サムネイルデータをページ順に並べて表示部に表示する場合の表示態様を変更（例えば図８に示す挿入ページ指定画面のチェックボタン１５０４あるいは図９に示す挿入ページ指定画面のサムネイル画像データ１６０１）することを特徴とする実施態様１記載の画像処理装置。
【０１１６】
これにより、表示部に表示されたサムネイル画像データの表示を確認しながら、直接サムネイル画像データを指示するだけで、合紙の挿入を行う際に、ユーザに対して異なる合紙挿入モードの違いを視覚的に認識させることができ、ユーザの合紙挿入ページ位置を正確に指定することができる。
【０１１７】
〔実施態様７〕
原稿画像を読み取るリーダ部と、該リーダ部から読み込んだ原稿画像を印刷する印刷部とを備える画像処理装置における画像処理方法であって、前記リーダ部から読み込んだ原稿画像のサムネイルデータを作成する作成ステップ（例えばＣＰＵ２００１が実行する図７に示すステップＳ１７０６、Ｓ１７０７）と、前記作成ステップにより作成される各サムネイルデータをページ順に並べて表示部に表示するプレビューステップ（例えばＣＰＵ２００１が実行する図７に示すステップＳ１７０６、Ｓ１７０７）と、前記プレビューステップにより前記表示部に表示されたサムネイルデータに対応づけられた特定領域に対する指示があったかどうかを検出する検出ステップ（例えばＣＰＵ２００１が実行する図７に示すステップＳ１７０６、Ｓ１７０７）と、前記検出ステップによる検出結果により、いずれかのサムネイルデータに対応したページ位置を特定し、該特定されるページ位置に対して読み込んだ複数の原稿画像中で対応するページに対して所定の画像処理を実行する画像処理ステップ（例えばＣＰＵ２００１が実行する図７に示すステップＳ１７１０）とを有することを特徴とする画像処理方法。
【０１１８】
これにより、読み取られる原稿画像データに対する所定の処理、例えば合紙等をいずれかのページ位置に指定する場合に、読み取られている画像のサムネイル画像データの表示を確認した状態で、ページ位置を指定できるため、従来の数値情報による指定に比べて、操作性が向上して、誤ったページ指定操作を回避できる。
【０１１９】
〔実施態様８〕
前記検出ステップは、前記表示部に表示されるサムネイルデータの近傍に配置されるチェックボタン（例えば図８に示す挿入ページ指定画面のチェックボタン１５０４）の指示状態から対応づけて配置し、該チェックボタンに対する指示状態からページ位置を検出することを特徴とする実施態様７記載の画像処理方法。
【０１２０】
これにより、表示部に表示されたサムネイル画像データの表示を確認しながら、チェックボタンを指示するだけで、所定の画像処理を行うためのページ位置を正確に指定することができる。
【０１２１】
〔実施態様９〕
前記検出ステップは、前記表示部に表示されるサムネイルデータの表示領域を特定領域（例えば図９に示す挿入ページ指定画面のサムネイル画像データ１６０１）と判断し、該表示領域に対する指示状態からページ位置を検出することを特徴とする実施態様７記載の画像処理方法。
【０１２２】
これにより、表示部に表示されたサムネイル画像データの表示を確認しながら、直接サムネイル画像データを指示するだけで、所定の画像処理を行うためのページ位置を正確に指定することができる。
【０１２３】
〔実施態様１０〕
前記画像処理ステップによる所定の画像処理は、前記検出ステップにより検出される特定領域に対する指示に対応するページ位置に、合紙を挿入することを特徴とする実施態様７記載の画像処理方法。
【０１２４】
これにより、表示部に表示されたサムネイル画像データの表示を確認しながら、直接サムネイル画像データを指示するだけで、合紙の挿入を行うためのページ位置を正確に指定することができる。
【０１２５】
〔実施態様１１〕
前記画像処理ステップによる所定の画像処理は、前記検出ステップにより検出される特定領域に対する指示に対応するページ位置から章の開始番号（図１３に示す章印刷処理例）を更新することを特徴とする実施態様７記載の画像処理方法。
【０１２６】
これにより、表示部に表示されたサムネイル画像データの表示を確認しながら、直接サムネイル画像データを指示するだけで、章の開始番号を行うためのページ位置を正確に指定することができる。
【０１２７】
〔実施態様１２〕
前記画像処理ステップに対する所定の画像処理モードの指定状態を判断する判断ステップ（図１に示すＣＰＵ２００１が図７に示すステップＳ１７０５）を有し、前記プレビューステップは、前記判断ステップによる判断結果に基づいて、前記作成ステップにより作成される各サムネイルデータをページ順に並べて表示部に表示する場合の表示態様を変更することを特徴とする実施態様７記載の画像処理方法。
【０１２８】
これにより、表示部に表示されたサムネイル画像データの表示を確認しながら、直接サムネイル画像データを指示するだけで、合紙の挿入を行う際に、ユーザに対して異なる合紙挿入モードの違いを視覚的に認識させることができ、ユーザの合紙挿入ページ位置を正確に指定することができる。
【０１２９】
〔実施態様１３〕
実施態様７〜１２のいずれかに記載の画像処理方法を実行させるためのプログラムを格納したことを特徴とするコンピュータが読み取り可能な記憶媒体。
【０１３０】
〔実施態様１４〕
実施態様７〜１２のいずれかに記載の画像処理方法を実行させることを特徴とするプログラム。
【図面の簡単な説明】
【０１３１】
【図１】本発の第１実施形態を示す画像処理装置の構成を説明するブロック図である。
【図２】図１に示したリーダ部およびプリンタ部のハードウェア構成を示す概略断面図である。
【図３】図１に示した操作部の液晶タッチパネル上に表示される操作画面の推移を説明する図である。
【図４】図１に示した操作部の液晶タッチパネル上に表示される操作画面の推移を説明する図である。
【図５】図１に示した操作部の液晶タッチパネル上に表示される操作画面の推移を説明する図である。
【図６】図１に示した操作部の液晶タッチパネル上に表示される操作画面の推移を説明する図である。
【図７】本発明に係る画像処理装置における第１のデータ処理手順の一例を示すフローチャートである。
【図８】図１に示した操作部に表示される合紙の挿入ページ指定画面の一例を示す図である。
【図９】図１に示した操作部に表示される合紙の挿入ページ指定画面の一例を示す図である。
【図１０】図１に示したプリンタ部から出力される合紙出力結果の一例を示す図である。
【図１１】本発明の第２実施形態を示す画像処理装置における章ページ印刷モード指定画面の一例を示す図である。
【図１２】本発明の第２実施形態を示す画像処理装置における章ページ印刷モード指定画面の一例を示す図である。
【図１３】本発明に係る画像処理装置における章印刷モード処理結果例を示す図である。
【図１４】本発明に係る画像処理装置で読み取り可能な各種データ処理プログラムを格納する記憶媒体のメモリマップを説明する図である。
【図１５】この種の画像処理装置の操作部に表示される表紙／合紙の挿入ページ指定画面の一例を示す図である。
【符号の説明】
【０１３２】
２００１  ＣＰＵ
２０１２  操作部
２０３５  サムネイル作成部
２０７０  リーダ部
【図１】
2006019904.tif 000003
【図２】
2006019904.tif 000004
【図３】
2006019904.tif 000005
【図４】
2006019904.tif 000006
【図５】
2006019904.tif 000007
【図６】
2006019904.tif 000008
【図７】
2006019904.tif 000009
【図８】
2006019904.tif 000010
【図９】
2006019904.tif 000011
【図１０】
2006019904.tif 000012
【図１１】
2006019904.tif 000013
【図１２】
2006019904.tif 000014
【図１３】
2006019904.tif 000015
【図１４】
2006019904.tif 000016
【図１５】
2006019904.tif 000017